(57)【特許請求の範囲】
【請求項１】
特定区域内においてワンセグ放送によってユーザ端末に複数の異なるコンテンツを配信するための情報配信システムであって、
各コンテンツを配信するための所定の処理を実行する配信サーバと、
前記コンテンツをワンセグ放送として発信するための発信装置と、
通信回線を介して前記配信サーバに提供するための前記複数の異なるコンテンツが格納されたコンテンツ提供サーバと
を有し、
前記配信サーバは、
通信回線を介して前記ユーザ端末からの所定の要求を受付けるための配信要求受付部と、
この配信要求受付部によって受付けた前記ユーザ端末からのチャンネル割当要求に基づき、少なくとも一以上のチャンネルから一のチャンネルを割当るチャンネル登録部と、
前記配信要求受付部によって受付けたユーザ端末からの抽出要求に基づき、通信回線を介して前記コンテンツ提供サーバから少なくとも１のコンテンツを抽出する抽出部と、
前記チャンネル登録部によって割当られた一のチャンネルにおいて、前記コンテンツ提供サーバから抽出されたコンテンツをワンセグ放送として前記発信装置から発信させる配信実行部と
を有する
ことを特徴とする情報配信システム。
【請求項２】
請求項１の情報配信システムであって、
前記コンテンツ提供サーバには、前記特定区域内にある少なくとも一つの商品に関する情報を提供するためのコンテンツが格納され、
前記配信サーバは、
前記特定区域内における各商品毎に対応づけられた商品に関するデータを商品データとして格納するためのデータ格納部を有し、
前記抽出部は、前記配信要求受付部によって受付けたユーザ端末からの抽出要求に基づき、前記コンテンツ提供サーバから、前記一の商品に関するコンテンツを抽出すると共に前記一の商品に関する商品データをも抽出し、
前記配信実行部は、前記抽出された一の商品に関するコンテンツと一の商品に関する商品データとを電波として前記発信装置から発信させる
ことを特徴とする情報配信システム。
【請求項３】
請求項２記載の情報配信システムであって、
前記データ格納部には、前記商品データに対応付けられた特定の文字列が複数格納され、
前記配信サーバは、
前記データ格納部に格納された前記商品データに基づいて、この商品データに対応する特定の文字列を生成情報として生成する生成部を有し、
前記配信実行部は、前記コンテンツと、前記生成された生成情報とをワンセグ放送として前記発信装置から発信させる
ことを特徴とする情報配信システム。
【請求項４】
請求項３記載の情報配信システムであって、
前記配信サーバは、
前記抽出部によって抽出された前記一の商品に関するコンテンツと前記生成部によって生成された生成情報とを合成し合成コンテンツとして生成する合成部を有し、
前記配信実行部は、前記合成コンテンツをワンセグ放送として前記発信装置から発信させる
ことを特徴とする情報配信システム。
【請求項５】
請求項２記載の情報配信システムにおいて、
前記配信サーバに通信回線を介して接続された課金手段を有し、
この課金手段は、各商品に対応づけられた前記商品データを課金行為毎に更新し、この更新された商品データを前記データ格納部に格納する
ことを特徴とする情報配信システム。
【請求項６】
請求項１記載の情報配信システムであって、
前記配信サーバは、
前記１のチャンネルでのワンセグ放送の放送時間が所定の時間を経過すると、前記１のチャンネルでのワンセグ放送を停止させると共に、前記１のチャンネルを空きチャンネルに切り替える配信停止実行部を有する
ことを特徴とする情報配信システム。
【請求項７】
請求項１記載の情報配信システムであって、
前記特定区域は、屋内型の店舗であり、
この店舗は、前記発信装置からのワンセグ放送が前記店舗の外部に漏れない及び/若しくは外部からの電波が前記店舗の内部に入らないようにする電波遮断手段を有する
ことを特徴とする情報配信システム。
【請求項８】
特定区域内においてワンセグ放送によってユーザ端末に複数の異なるコンテンツを配信するための情報配信方法であって、
コンテンツを配信するための処理を実行する配信サーバと、
前記コンテンツをワンセグ放送として発信するための発信装置と、
前記配信サーバに提供するためのコンテンツが格納されたコンテンツ提供サーバから通信回線を介して前記コンテンツを提供するコンテンツ提供サーバと
を有する情報配信システムにより実行され、
この情報配信方法は、
前記配信サーバが前記通信回線を介して前記ユーザ端末からの要求を受付けるための配信要求受付行程と、
前記配信サーバがこの配信要求受付行程で受付けた前記ユーザ端末からのチャンネル割当要求に基づき、少なくとも一以上のチャンネルから一のチャンネルを割当るチャンネル登録行程と、
前記配信サーバが前記配信要求受付行程で受付けたユーザ端末からの抽出要求に基づき、通信回線を介して前記コンテンツ提供サーバからコンテンツを抽出する抽出行程と、
前記配信サーバが前記チャンネル登録行程で割当てた一のチャンネルにおいて、前記コンテンツ提供サーバから抽出されたコンテンツをワンセグ放送として前記発信装置から発信させる配信実行行程と
を有することを特徴とするワンセグ情報配信方法。
【発明の詳細な説明】
【技術分野】
【０００１】
本発明は特定施設内で商品に関するコンテンツをワンセグ放送として配信し、この配信されたコンテンツをユーザ端末で視聴させるワンセグ配信システムに関する。
【背景技術】
【０００２】
近年、地上波デジタル放送を携帯端末などに配信するワンセグ放送が知られるようになってきている。ここで、電波法では、無線局を開設しようとする者は、原則として総務大臣の免許（以下「放送免許」という）を取得しなければならないと規定されている（電波法４条）。ただし、発信される電波の電界強度が３５μＶ／ｍ以下（以下「微弱電波」という）である場合には、上記放送免許を取得せずとも無線局の開設が可能となっている（電波法施行規則６条）。非特許文献１には、上記微弱電波を利用することで店舗内やイベント会場で、商品情報などのワンセグ放送を配信するワンセグ配信システムが開示されている。
【先行技術文献】
【非特許文献】
【０００３】
【非特許文献１】富士通株式会社ＨＰ、「ワンセグ配信システム  スポットキャスト」、２００７年１０月２日、ＵＲＬ（http://fenics.fujitsu.com/networkservice/spotcast/?from=location）
【発明の概要】
【発明が解決しようとする課題】
【０００４】
ところで、一般的に、ワンセグ放送は、周波数が４７０〜７７０ＭＨｚであり、また、使用するチャンネルが１３〜６３チャンネルの全５０チャンネルで配信されるものである。このため、前記非特許文献１記載のワンセグ配信システムでは、同時に配信できるコンテンツは使用できるチャンネル数と同じく最大で５０個となり、現在の多様な商品に関する情報を同時に配信するにはチャンネル数が足りないという問題がある。
【０００５】
また、限りあるチャンネルに何れのコンテンツを配信するかは、ワンセグ放送を配信する側に一存されるため、必ずしもユーザ所望のコンテンツが配信されているとは限らない。また、仮に、ユーザ所望のコンテンツが配信されていても、それは、配信中のコンテンツの途中からの視聴になってしまうため、コンテンツの内容がコンテンツの提供者側の意図したとおりユーザに伝わらないという問題もある。
【０００６】
本発明は、このような点に鑑み、使用できるチャンネル数にとらわれず、多様なコンテンツのうちからユーザ所望のコンテンツを適切にユーザ端末に配信できる情報配信システムを提供する。  
【課題を解決するための手段】
【０００７】
この発明の第１の主要な観点によれば、特定区域内においてワンセグ放送によってユーザ端末に複数の異なるコンテンツを配信するための情報配信システムであって、各コンテンツを配信するための所定の処理を実行する配信サーバと、前記コンテンツをワンセグ放送として発信するための発信装置と、通信回線を介して前記配信サーバに提供するための前記複数の異なるコンテンツが格納されたコンテンツ提供サーバとを有し、前記配信サーバは、通信回線を介して前記ユーザ端末からの所定の要求を受付けるための配信要求受付部と、この配信要求受付部によって受付けた前記ユーザ端末からのチャンネル割当要求に基づき、少なくとも一以上のチャンネルから一のチャンネルを割当るチャンネル登録部と、前記配信要求受付部によって受付けたユーザ端末からの抽出要求に基づき、通信回線を介して前記コンテンツ提供サーバから少なくとも１のコンテンツを抽出する抽出部と、前記チャンネル登録部によって割当られた一のチャンネルにおいて、前記コンテンツ提供サーバから抽出されたコンテンツをワンセグ放送として前記発信装置から発信させる配信実行部とを有することを特徴とする情報配信システムが提供される。
【０００８】
また、この場合、前記コンテンツ提供サーバには、前記特定施設内にある少なくとも一つの商品に関する情報を提供するためのコンテンツが格納され、前記配信サーバは、前記特定施設内における各商品毎に対応づけられた商品に関するデータを商品データとして格納するためのデータ格納部を有し、前記データ抽出部は、前記配信要求受付部によって受付けたユーザ端末からの抽出要求に基づき、前記コンテンツ提供サーバから、前記一の商品に関するコンテンツを抽出すると共に前記一の商品に関する商品データをも抽出し、前記配信実行部は、前記抽出された一の商品に関するコンテンツと一の商品に関する商品データとをワンセグ放送として前記発信装置から発信させることが望ましい。
【０００９】
また、この発明の別の実施形態によれば、前記データ格納部には、前記商品データに対応付けられた特定の文字列が複数格納され、前記配信サーバは、前記データ格納部に格納された前記商品データに基づいて、この商品データに対応する特定の文字列を生成情報として生成する生成部を有し、前記配信実行部は、前記コンテンツと、前記生成された生成情報とをワンセグ放送として前記発信装置から発信させることを特徴とする情報配信システムが提供される。
【００１０】
また、この場合、前記配信サーバは、前記データ抽出部によって抽出された前記一の商品に関するコンテンツと前記生成部によって生成された生成情報とを合成し合成コンテンツとして生成する合成部を有し、前記配信実行部は、前記合成コンテンツをワンセグ放送として前記発信装置から発信させることが望ましい。
【００１１】
さらに、この発明の別の実施形態によれば、前記配信サーバに通信回線を介して接続された課金手段を有し、この課金手段は、各商品に対応づけられた前記商品データを課金行為毎に更新し、この更新された商品データを前記データ格納部に格納することを特徴とする情報配信システムが提供される。
【００１２】
また、この発明の別の実施形態によれば、前記配信サーバは、前記１のチャンネルでのワンセグ放送の放送時間が所定の時間を経過すると、前記１のチャンネルでのワンセグ放送を停止させると共に、前記１のチャンネルを空きチャンネルに切り替える配信停止実行部を有することを特徴とする情報配信システムが提供される。
【００１３】
また、この発明の別の実施形態によれば、前記特定区域は、屋内型の店舗であり、この店舗は、前記発信装置１２からのワンセグ放送が前記店舗の外部に漏れない及び/若しくは外部からの電波が前記店舗の内部に入らないようにする電波遮断手段を有することを特徴とする情報配信システムが提供される。
【００１４】
この発明の第２の主要な観点によれば、特定施設内においてワンセグ放送によってユーザ端末にコンテンツをコンピュータシステムによって配信するためのワンセグ情報配信方法であって、前記コンピュータシステムが、コンテンツを配信するための処理を実行する配信行程と、前記コンピュータシステムが、前記コンテンツをワンセグ放送として発信するための発信行程と、前記コンピュータシステムが、前記配信サーバに提供するためのコンテンツが格納されたコンテンツ提供サーバから前記通信回線を介して前記コンテンツを提供するコンテンツ提供行程とを有し、前記配信行程は、通信回線を介して前記ユーザ端末からの要求を受付けるための配信要求受付行程と、この配信要求受付部によって受付けた前記ユーザ端末からのチャンネル割当要求に基づき、少なくとも一以上用意されたワンセグ放送用チャンネルから一のチャンネルを割当るチャンネル登録行程と、前記配信要求受付部によって受付けたユーザ端末からの抽出要求に基づき、通信回線を介して前記コンテンツ提供サーバからコンテンツを抽出する抽出行程と、前記チャンネル登録部によって割当られた一のチャンネルにおいて、前記コンテンツ提供サーバから抽出されたコンテンツをワンセグ放送として前記発信装置から発信させる配信実行行程とを有することを特徴とするワンセグ情報配信方法が提供される。  
【発明の効果】
【００１５】
上記のような構成を有することで、使用できるチャンネル数にとらわれず、多様なコンテンツのうちからユーザ所望のコンテンツを適切にユーザ端末に配信できる情報配信システムを提供することができる。
【図面の簡単な説明】
【００１６】
【図１】図１は、本願発明の機能ブロック図である。
【図２】図２は、ユーザ端末に表示されたメニュー画面の一例である。
【図３】図３は、ユーザ端末に表示された種々の表示内容の一例である。
【図４】図４は、ユーザ端末に表示された合成コンテンツの一例である。
【図５】図５は、フローチャートである。
【図６】図６は、フローチャートである。
【図７】図７は、商品データ及び定型文データの一例である。
【発明を実施するための形態】
【００１７】
以下、本願発明の一実施形態を図１〜７を参照して説明する。
【００１８】
図１は、この発明の全体的な構成を示したものである。この図１において、本願発明に係る情報配信システム１は、ワンセグ配信用の複数のコンテンツが格納されたコンテンツ提供サーバ２と、特定施設３内に設置されワンセグ放送を配信するための配信サーバ４とが、インターネットなどの通信回線（以下、単に「通信回線」という）５によって接続されてなる。
【００１９】
前記コンテンツ提供サーバ２には、ワンセグ配信用のコンテンツデータが複数格納されている。ここで、「コンテンツ」とは、ワンセグ放送によってユーザに視聴させることを目的とした情報番組と、この情報番組に関連づけられ前記情報番組と同一画面上に表示されるデータ放送とをいう。なお、情報番組とは、例えば、商品（本実施形態では映画や音楽）のプロモーション用の５〜１０分程度の動画である。一方、データ放送とは、ＢＭＬデータで記述された文字（文字列）、図形若しくはこれらの組み合わせによって構成された情報である。
【００２０】
ここで、コンテンツとは、図４（ａ）に示すように、情報番組として映画Ｃのプロモーション用の動画と、データ放送としてのこの映画Ｃの（１）見所、（２）あらすじ及び（３）キャストなどの情報を提供するための文字列とから構成されるものである。そして、この図４（ａ）に示すように、前記コンテンツは、生成情報（後述する）と一画面上に合成コンテンツとして表示されるようになっている。なお、前記情報番組、データ放送及び生成情報は、各々を全画面表示し適宜切り替えるものであってもよく、また、一画面上での各情報の配置も、ユーザ端末の機能や表示される画面の大きさなどによって適宜設計が可能である。
【００２１】
図１に示すように、前記配信サーバ４には、ＰＯＳレジなどの課金手段１０と、前記配信サーバ４を前記通信回線５に接続するための前記通信手段１１と、この特定施設３内に上記合成コンテンツを電波として発信するための発信装置１２とが接続されている。
【００２２】
前記課金手段１０は、前記特定施設３内の出入り口付近に設けられたカウンター上などに設置されている（図示せず）。そして、前記課金手段１０は、前記特定施設３内での顧客との課金行為（例えば、ＤＶＤの貸出し行為）があった場合に、図７（ａ）に示すように、前記商品毎の貸出状況、在庫状況などを、前記商品に対応付けて情報データ格納部２０に商品データ２６として格納するようになっている。
【００２３】
図１において、前記通信手段１１は、前記配信サーバ４と前記通信回線５とを接続させるための通信ポートである。この通信手段５を介すことで、前記配信サーバ４は、前記コンテンツ提供サーバ２及び前記ユーザ端末Ａ及びＢと接続し、それぞれと送受信を行うようになっている。
【００２４】
前記ユーザ端末Ａ及びＢは、特定施設３内で顧客などが所有する携帯電話機や携帯可能なパソコンなどのいわゆる携帯端末である。また、このユーザ端末Ａ及びＢは、何れもワンセグ放送を視聴可能に構成され、かつ通信回線５を介して各サイトの画像なども閲覧可能に構成されている。なお、以下、説明の便宜上、前記ユーザ端末Ａ及びＢを特に区別しない場合は、「ユーザ端末２５」と称する。
【００２５】
ここで、前記データ放送は、上述したように、ＢＭＬデータで記述されているため、前記ユーザ端末２５のディスプレイに表示された前記データ放送がユーザによって選択決定されると、前記通信回線５を介してリンク先（図示せず）に接続され、当該接続されたリンク先の情報が前記ディスプレイに新たに表示されるようになっている。なお、ここでいう、リンク先の情報とは、前記コンテンツに関する商品の詳しい内容が載せられた情報サイトが該当する。例えば、図４おいて、データ放送の「（１）見所」が選択決定されると、前記ユーザ端末２５が、映画配給会社などよって作成された映画Ｃの見所が記載されたサイトに接続され、その内容が前記ユーザ端末２５のディスプレイに表示される。
【００２６】
図１において、前記発信装置１２は、図示しないが、ワンセグ用変調機、増幅器及びこれらを制御するための発信用制御部など、前記合成コンテンツをワンセグ放送として発信するための必要な構成を有している。そして、この発信装置１２は、周波数帯域が４７０〜７７０ＭＨｚ（ＵＨＦ）、及び使用チャンネルが１３〜６３ＣＨでワンセグ放送として発信するようになっている。
【００２７】
ここで、この周波数帯域や使用チャンネル数は、現在の規格に基づいたものであり、今後の規格改訂などによって適宜設計が可能である。また、この発信装置１２から発信される電波強度は、前記放送免許の取得が不要な３５μＶ／ｍ以下であることが望ましいが、これに限定されない。例えば、前記放送免許を取得するなどして、前記３５μＶ／ｍ以上での電波強度で発信してもよい。さらに、前記発信装置１２は、放送エリアに対応させ発信する電波強度を可変させる構成を有するものであっても良い。
【００２８】
また、前記発信装置１２は、例えば、前記特定施設３内の中心付近に設置される。しかしこれに限定されず、前記電波強度との関係で、特定施設３内に電波が届く場所であれば、何れの場所に設置しても良い。また、本実施形態では、発信装置１２は、前記特定施設３内に１つのみ設置されていることを想定しているが、複数台あってもよい。この場合、前記発信装置１２を複数台設置して、各発信装置１２から前記微弱電流で同一のコンテンツを配信させることで、前記放送免許を取得せずともユーザが前記特定施設内３を移動しながら同一のコンテンツを視聴することができる。或いは、これとは逆に各発信装置１２毎に独立してワンセグ放送を配信するようにしても良い。
【００２９】
ここで、前記特定施設３は、本実施形態では、一般的な屋内型の店舗であるレンタルビデオ（ＤＶＤ）ショップを想定している。しかしこれに限定されず、前記特定施設３は、例えば、屋根のない屋外型の店舗や、さらには自動車型店舗などの移動可能なものであってもよい。ここで、前記特定施設３は、本実施形態のように一般的な屋内型の店舗や前記自動車型店舗が採用される場合には、前記発信装置１２から発信される電波が屋外に漏れない若しくは外部からの電波が前記特定施設３内に入らないような手段を有するものであってもよい。例えば、電波妨害装置を設けたり、或いは、前記特定施設３の側壁や天井が当該電波を遮断する材質で形成されたり、または、そのような材質で作られたシートが前記特定施設３内の側壁や天井に張り巡らされたりするものであってもよい。
【００３０】
前記配信サーバ４は、配信実行部１３と、配信要求受付部１４と、チャンネル登録部１５と、抽出部１６と、合成部１７と、生成部１８と、配信停止部１９と、データ格納部２０とを有している。
【００３１】
前記データ格納部２０には、ワンセグ放送によって前記ユーザ端末２５に表示させるためのメニュー画面データ、前記商品データ２６及び特定の文字列から成る定型文データ２７と、前記通信回線５を介して前記ユーザ端末２５に表示させるためのチャンネル選択画面、コンテンツ選択画面及び商品選択画面の画像データとがそれぞれ格納されている。
【００３２】
前記メニュー画面用データとは、予め前記コンテンツ提供サーバ２から定期的に受信して格納された、前記ユーザ端末Ａ及びＢのディスプレイにワンセグ放送によってメニュー画面として表示させるためのデータである。ここでメニュー画面とは、本実施形態では、図２に示すように、上下に２分割され、その上部には、前記情報番組として本日お薦めＤＶＤ「映画Ｃ」の動画が表示され、一方、下部には、前記データ放送として、「ワンセグ情報配信を開始しますか？」との文字列が表示されている。なお、このメニュー画面における前記データ放送のリンク先は、前記配信サーバ４の所在を示すＵＲＬになっている。
【００３３】
前記商品データ２６とは、例えば、図７（ａ）に示すように、各商品毎に対応づけられた、貸出状況、在庫状況その他商品の流動（例えば、売上状況など（図示せず））に関するデータである。なお、上述したように、この商品データは、前記課金手段１０によって課金行為毎に更新されていくものである。また、この商品データは、同図７（ａ）に示すように、前記貸出状況及び在庫状況から人気ランキングを算出し格納しても良い。
【００３４】
また、定型文データ２７とは、例えば、図７（ｂ）に示すように、「貸出状況」「（本）」「在庫わずか！」などの文字列のデータである。そして、前記定型文データ２７は、前記商品データ２６に基づいて前記生成部１８によって読み出されるようになっている。
【００３５】
例えば、前記商品データ２６において商品の在庫状況が所定の基準値（例えば、在庫４本）以上である場合（映画Ａ、Ｂ、Ｄ）には、「貸出状況」「（本）」「店長お薦めの１本です。」との文字列が前記生成部１８によって読み出されるようになっている。また、前記在庫状況が所定の基準値（例えば、在庫３本）以下である場合（映画Ｃ）には、前記「店長お薦め１本です。」の代わりに「在庫わずか！」の文字列が前記生成部１８によって読み出されるようになっている。さらに、前記在庫状況が「０」になると、「貸出状況」「（本）」「在庫わずか！」の代わりに「この商品は現在全て貸出し中です。」との文字列が、前記生成部１８によって読み出されるようになっている。
【００３６】
なお、前記読み出された文字列は、詳しくは後述するが、前記商品データ２６と共に前記生成部１８によって生成情報として生成されるようになっている。例えば、図４（ａ）に生成情報として示したように、「貸出状況１９／２０（本）在庫わずか！」との一文として生成される。
【００３７】
ここで、図１に示した前記配信サーバ４が有する各機能部１３〜２０は、具体的には、図示しないＣＰＵにシステムバスを介してＲＡＭと、ＲＯＭやＨＤＤなどの外部記憶装置に入出力インタフェース（Ｉ／Ｆ）が接続されてなる。そして、前記外部記憶装置にインストールされたソフトウェアプログラムがＣＰＵによってＲＡＭ上に呼び出されて実行されることで、この発明の機能を奏するようになっている。
【００３８】
以下、上記構成の作用を、図１〜７を参照しつつ詳しく説明する。
【００３９】
図５、６は、本実施形態の概略フローチャートを示すものである。ここで、このフローチャートにおいて符号１〜２２は、以下の説明における行程Ｓ１〜２２にそれぞれ対応するものである。なお、以下、説明の便宜上、ユーザ端末Ａの操作主体を「ユーザＡ」、ユーザ端末Ｂの操作主体を「ユーザＢ」とそれぞれ称する。
【００４０】
まず、前記配信実行部１３は、前記情報データ格納部２０から前記メニュー画面用データを読み出し、この読み出されたメニュー画面用データをチャンネル１３（以下「ＣＨ１３」と表記する）にて前記発信装置１２から常に発信させる（Ｓ１）。すなわち、この場合、前記特定施設３内では、前記携帯端末２５においてチャンネルサーチをするとＣＨ１３のメニュー画面のみヒットする。
【００４１】
そして、このとき、ユーザＡが前記レンタルビデオ店（特定施設３）内で、ユーザ端末Ａを操作しチャンネルサーチをすることでＣＨ１３がヒットするか、或いはユーザによって直接ＣＨ１３が選曲されると、ユーザ端末Ａのディスプレイには、図２に示したようなメニュー画面が表示される（Ｓ２）。
【００４２】
そして、ユーザＡが前記ユーザ端末Ａの画面上に表示されたデータ放送「ワンセグ情報配信を開始しますか？」を選択決定すると、前記ユーザ端末Ａは、前記通信回線５を介して前記配信サーバ４に接続される。
【００４３】
前記ユーザ端末Ａが前記通信回線５を介して前記配信サーバ４に接続されると
、前記配信要求受付部１４は、リアルタイムでの使用及び不使用チャンネルを検出するよう前記チャンネル登録部１５に指示する。すると、前記チャンネル登録部１５は、その検出結果を前記配信要求受付部１４に返信する。前記配信要求受付部１４は、前記検出結果を受け取ると、図３（ａ）で示すようなリアルタイムでのチャンネル使用状況を示す、チャンネル選択画面を生成して前記通信回線５を介して前記ユーザ端末Ａに表示させる。
【００４４】
ここで、この図３（ａ）において、ＣＨ１３は、上述した「メニュー画面」が配信中であることを示している。また、ＣＨ１４〜１７は、何れのコンテンツも配信されていない空きチャンネルであることを示している。
【００４５】
そして、この図３（ａ）に示すように、空きチャンネルであるＣＨ１４がユーザＡによって選択される（Ｓ３）と、前記配信要求受付部１４は、前記チャンネル登録部１５に前記ＣＨ１４を登録するように指示する。ここで、登録とは、一のユーザに所望の一のチャンネルを割当てることを言う。なお、ＣＨ１８〜６３は、ＣＨ１４〜１７と同様であるため説明を省略する。
【００４６】
次に、前記チャンネル登録部１５は、前記配信要求受付部１４からの指示を受け付けると、ＣＨ１４の登録処理を開始する。そして、前記チャンネル登録部１５は、ＣＨ１４を登録すると、前記配信要求受付部１４にＣＨ１４を登録したとの処理結果を返信する。この返信を受けた前記配信要求受付部１４は、前記通信回線５を介して前記ユーザ端末Ａに「ＣＨ１４に登録しました」などと表示させる（Ｓ４）。すなわち、この時点で、ユーザＡは、ＣＨ１４に配信すべきコンテンツを自由に選択することができるようになる。
【００４７】
一方、ユーザＡがチャンネル登録をする間に他のユーザによって先にＣＨ１４が登録された場合には、前記チャンネル登録部１５は、前記配信要求受付部１４にＣＨ１４が登録済みであるとの処理結果を返信する。この返信を受けた前記配信要求受付部１４は、前記通信回線５を介して前記ユーザ端末Ａに「ＣＨ１４は他のユーザによって登録されました。別のチャンネルを選択して下さい。」などと表示させ、再び前記チャンネル選択画面を前記ユーザ端末Ａに表示させる。
【００４８】
次に、前記配信要求受付部１４は、図３（ｂ）に示すように、前記通信回線５を介してコンテンツ選択画面を前記ユーザ端末Ａに表示させる。そして、ユーザＡによって「レンタルＤＶＤ」が選択されると、前記配信要求受付部１４は、前記通信回線５を介して商品選択画面を前記ユーザ端末Ａに表示させる。そして、映画Ｃに関するコンテンツがユーザＡによって選択されると（Ｓ５）、前記配信要求受付部１４は、前記データ抽出部１６に、前記映画Ｃに関するコンテンツ及び前記映画Ｃに対応する前記定型文データを抽出するように指示する。
【００４９】
すると、前記データ抽出部１６は、前記通信回線５を介して接続されている前記コンテンツ提供サーバ２から映画Ｃに関するコンテンツの検索を開始する（Ｓ６）と共に、前記情報データ格納部２０から前記映画Ｃに関する商品データ２６の検索も開始する（Ｓ７）。
【００５０】
次に、前記生成部１８は、まず図７（ａ）に示した商品データ２６を参照し、映画Ｃの貸出状況が２０本中１９本であること、及び在庫状況が１本であることを抽出する。そして、前記生成部１８は、前記定型文データ２７を参照し「貸出状況」「（本）」を抽出すると共に、在庫状況が所定の基準値を下回った場合の文字列である「在庫わずか！」も抽出する。そして、前記抽出された商品データ２６及び定型文データ２７から「貸出状況１９／２０（本）在庫わずか！」との文字列を生成する（Ｓ８）。そして、この生成した文字列（以下「生成情報」と称する）を前記合成部１７に送信する。
【００５１】
次に、前記合成部１７は、前記抽出部１６によって抽出された前記コンテンツと前記受信した生成情報とが一画面上に表示されるように合成する（Ｓ９）。
【００５２】
そして、前記配信実行部１３は、前記合成された前記コンテンツ及び前記生成情報（以下「合成コンテンツ」という）を、ワンセグ放送として前記発信装置１２からＣＨ１４によって発信させるように指示する。この指示を受けた前記発信装置１２は、映画Ｃの合成コンテンツをワンセグ放送によって発信する（Ｓ１０）。すると、ユーザ端末Ａは、発信されたワンセグ放送を受信する（Ｓ１１）。このとき、ユーザＡによってユーザ端末Ａの表示がワンセグ放送に切り替えられることで、そのディスプレイには、図４に示すような、合成コンテンツとして、映画Ｃに関する動画、データ放送及び生成情報がそれぞれ表示される。
【００５３】
また、前記ユーザ端末Ａに表示されたデータ放送（（１）見所、（２）あらすじ、（３）キャストの何れか）が選択決定されることで、前記ユーザ端末Ａは、前記通信回線５を介して対応するサイトに接続され、その内容が前記ユーザ端末Ａに表示される。
【００５４】
ところで、この状態で、前記特定施設３内で、ユーザＢがユーザ端末Ｂを操作し、ワンセグ放送を視聴するためにチャンネルサーチをすると、ＣＨ１３のメニュー画面、及びＣＨ１４の映画Ｃに関するコンテンツがヒットする。すなわち、このとき、ユーザＢのチャンネル選択（Ｓ１３）によって、ＣＨ１３が選局されると、前記ユーザ端末Ｂには、前記メニュー画面が表示される。一方、ユーザＢによってＣＨ１４が選択される（Ｓ１４）と、ユーザ端末Ｂには、配信中の映画Ｃに関する合成コンテンツが（番組の途中から）表示される（Ｓ１５）。
【００５５】
なお、この場合、前記ユーザＢが、映画Ｃのコンテンツを始めから視聴することを望む場合は、上記ユーザ端末Ａと同様の手順で空きチャンネル（例えば、ＣＨ１５）を登録し、その登録されたチャンネル（例えば、ＣＨ１５）で前記映画Ｃのコンテンツを要求すればよい。
【００５６】
次に、映画Ｃに関するコンテンツがユーザ端末Ａ及びＢよって視聴されているときに、映画Ｃに関する課金行為があった場合について説明する。例えば、このレンタルビデオ店（特定施設３）で他のユーザＤ（図示せず）が、映画ＣのＤＶＤの貸出を受けるために課金手段１０において課金行為（貸出行為）を行うと（Ｓ１６）、前記課金手段１０により当該映画ＣのＤＶＤを貸出した旨のデータが入力される。
【００５７】
この場合、この課金手段１０は、前記商品データを更新し、前記映画Ｃの貸出状況を「２０」、在庫状況を「０」として前記情報データ格納部２０に格納する（Ｓ１７）。また、前記生成部１８は、前記課金手段１０の更新状況を常に監視し、配信中のコンテンツに関する商品データ２６が更新されると、下述するように新たに生成情報を生成する。
【００５８】
すなわち、この場合、前記データ格納部２０には定型文データ２７として、図７（ｂ）で示した「この商品は現在全て貸出し中です。」との文字列が、商品データである「在庫０」に対応づけられ格納されている。そして、前記生成部１８は、前記データ格納部２０に格納された「この商品は現在全て貸出し中です。」との文字列を抽出し生成情報として生成する。
【００５９】
次に、合成部１７は、配信中の合成コンテンツに更新後の生成情報を新たに合成する（Ｓ１８）。そして、前記配信実行部１３は、新たに合成された合成コンテンツのワンセグ放送をＣＨ１４にて前記発信装置１２から発信させる（Ｓ１９）。
【００６０】
そして、ユーザ端末Ａ及びＢには、新たな合成コンテンツとして、図４（ｂ）に示したように、配信中の映画Ｃに関するコンテンツが継続して表示されていると共に、前記生成された「この商品は現在全て貸出し中です。」との生成情報が表示される（Ｓ２０（ａ）（ｂ））。
【００６１】
次に、配信停止部１９は、映画Ｃに関する合成コンテンツの配信時間が所定時間（例えば２０分）或いは所定回数（例えば３ターン）の何れかが先に経過すると、前記映画Ｃに関するコンテンツの配信を終了する（Ｓ２１）。そして、それまで映画Ｃに関するコンテンツを配信していたＣＨ１４を空きチャンネルに切り替える（Ｓ２２）。
【００６２】
このときユーザ端末Ａ、Ｂには、例えば「コンテンツの配信が終了しました」などのメッセージを一定時間表示させた後、ＣＨ１４を空きチャンネルとして切り替えても良い。
【００６３】
そして、ユーザ端末Ａ、Ｂはコンテンツの受信を終了する（Ｓ２３（ａ）（ｂ））。
【００６４】
以上、本発明の一実施形態について説明したが、この発明は、前記一実施形態に限定されるものではなく、発明の要旨を変更しない範囲で種々変形可能である。
【００６５】
例えば、上記実施形態では、ＵＨＦでのチャンネル１３〜６３を使用することを想定していたが、前記発信装置１２が設置される場所によっては、テレビジョン放送局によってテレビジョン放送として使用されているチャンネルなどと重なる場合もある。この場合には、混線を回避するために、前記テレビジョン放送などが行われているチャンネルとは別のチャンネルを使用することが望ましい。
【００６６】
例えば、この場合、前記配信サーバ４は、配信中のワンセグ放送を受信するために定期的にチャンネルサーチを実行する受信部をさらに有する。そして、例えば、ＣＨ１３〜２３でのテレビジョン放送などの他の放送を受信した場合、前記受信部は、その検出結果を前記データ格納部２０に格納する。そして、前記配信実行部１３は、前記データ格納部２０からサーチ結果を読み出し、このサーチ結果に基づいて前記メニュー画面をそのときの空きチャンネル（例えばＣＨ２４）にて前記発信装置１２から発信させる。一方、前記配信要求受付部１４は、前記データ格納部２０からサーチ結果を読み出し、この読み出したサーチ結果と前記チャンネル登録１６からの検出結果とに基づき前記チャンネル選択画面（すなわち、そのときの使用チャンネルと空きチャンネルとを示す一覧）を生成し前記通信回線５を介して前記ユーザ端末２５に表示させてもよい。
【００６７】
また、前記実施形態は、ワンセグ放送を使用して情報を配信するものであったが、これに限定されず、フルセグ放送を使用して情報を配信するものであっても良い。この場合には、前記全ての「ワンセグ」との記載を全て「フルセグ」と読み替えることで、フルセグ放送を使用して情報を配信するシステム及び方法が開示される。
【符号の説明】
【００６８】
１…情報配信システム
２…コンテンツ提供サーバ
３…特定施設
４…配信サーバ
５…通信回線
１０…課金手段
１１…通信手段
１２…発信装置
１３…配信実行部
１４…配信要求受付部
１５…チャンネル登録部
１６…抽出部
１７…合成部
１８…生成部
１９…配信停止部
２０…データ格納部
２５…ユーザ端末
２６…商品データ
２７…定型文データ
【図１】
0005421053.tif 000002
【図２】
0005421053.tif 000003
【図３】
0005421053.tif 000004
【図４】
0005421053.tif 000005
【図５】
0005421053.tif 000006
【図６】
0005421053.tif 000007
【図７】
0005421053.tif 000008